(57)【要約】【課題】  高温及び／又は大火の状態においても、そのバッグ本体に収納される物品を傷つかないように保存することができる耐火機能付きバッグを提供する。【解決手段】  バッグ本体を有する耐火機能付きバッグであって、該バッグ本体は、内側から外側へ順に第1耐火層、耐火断熱層、及び第２耐火層を含有すると共に、該バッグ本体の内部には、火や熱を開口部から侵入することを防止するようにバリヤー体が設置されており、前記バリヤー体は耐火ジッパー及び耐火面ファスナーから選ばれたものであり、また、該バッグ本体の内部が一つ又は複数の収納空間に区画されており、該バッグ本体にはハンドル部が設けられる。【選択図】図１
0003138300.tif 000002
【実用新案登録請求の範囲】
【請求項１】
バッグ本体を有する耐火機能付きバッグであって、該バッグ本体は、内側から外側へ順に第1耐火層、耐火断熱層、及び第２耐火層を含有すると共に、該バッグ本体の内部には、火や熱を開口部から侵入することを防止するようにバリヤー体が設置されており、前記バリヤー体は耐火ジッパー及び耐火面ファスナーから選ばれたものであり、該バッグ本体の内部が一つ又は複数の収納空間に区画されており、該バッグ本体にはハンドル部が設けられることを特徴とする耐火機能付きバッグ。
【請求項２】
前記バッグ本体の開口部と反対する側には底部が設けられており、
前記バリヤー体を前記開口部の近傍に設置した場合、前記ハンドル部が肩ベルトであり、一方、前記バリヤー体を前記開口部よりも下方に設置した場合、前記ハンドル部が引き紐であり、
前記第1耐火層と前記耐火断熱層との間にはアルミ金属層が設けられることを特徴とする請求項１に記載の耐火機能付きバッグ。
【請求項３】
耐火機能付きバッグにおける接合箇所が全て耐火糸を用いて縫合することを特徴とする請求項１又は２に記載の耐火機能付きバッグ。
【考案の詳細な説明】
【技術分野】
【０００１】
本考案は、耐火機能付きバッグに関するものであり、詳しく言えば、高温及び／又は大火の状態においても、そのバッグ本体に収納される物品を傷つかないように保存することができる耐火機能付きバッグに関するものである。
【背景技術】
【０００２】
普通の家庭において、重要の貴重品である、例えば宝石類、ディスク、アクセサリー、印鑑、預金通帳、大事な書類などが、金融機関の貸し金庫に保管する以外に、家の中に置くことはよくあるが、家の小型金庫に保管するか否かにかかわらず、一旦火災が起きた場合は、あまりにも緊張のために、家から逃げる際に前記貴重品の持ち出しを忘れたことがよく発生する。
【考案の開示】
【考案が解決しようとする課題】
【０００３】
このことから、火災が発生した場合、如何なる持ち出せない重要の貴重品を保全することは、解決すべき重要な課題である。
【０００４】
そこで、本考案は、高温及び／又は大火の状態においても、そのバッグ本体に収納される物品を傷つかないように保存することができる耐火機能付きバッグを提供することを目的としている。
【課題を解決するための手段】
【０００５】
本考案は、上記目的を達成するために、以下のような耐火機能付きバッグを創案した。
【０００６】
（１）バッグ本体を有する耐火機能付きバッグであって、該バッグ本体は、内側から外側へ順に第1耐火層、耐火断熱層、及び第２耐火層を含有すると共に、該バッグ本体の内部には、火や熱を開口部から侵入することを防止するようにバリヤー体が設置されており、前記バリヤー体は耐火ジッパー及び耐火面ファスナーから選ばれたものであり、該バッグ本体の内部が一つ又は複数の収納空間に区画されており、該バッグ本体にはハンドル部が設けられることを特徴とする耐火機能付きバッグ。
【０００７】
（２）前記バッグ本体の開口部と反対する側には底部が設けられており、
前記バリヤー体を前記開口部の近傍に設置した場合、前記ハンドル部が肩ベルトであり、一方、前記バリヤー体を前記開口部よりも下方に設置した場合、前記ハンドル部が引き紐であり、
前記第1耐火層と前記耐火断熱層との間にはアルミ金属層が設けられることを特徴とする（１）に記載の耐火機能付きバッグ。
【０００８】
（３）耐火機能付きバッグにおける接合箇所が全て耐火糸を用いて縫合することを特徴とする（１）又は（２）に記載の耐火機能付きバッグ。
【考案の効果】
【０００９】
本考案の耐火機能付きバッグは、バッグ本体を有する耐火機能付きバッグであって、該バッグ本体は、内側から外側へ順に第1耐火層、耐火断熱層、及び第２耐火層を含有すると共に、該バッグ本体の内部には、火や熱を開口部から侵入することを防止するようにバリヤー体が設置されており、前記バリヤー体は耐火ジッパー及び耐火面ファスナーから選ばれたものであり、また、該バッグ本体の内部が一つ又は複数の収納空間に区画されており、該バッグ本体にはハンドル部が設けられることから、そのバリヤー体を配置することによって開口部から火や熱の侵入を防止することができ、更に、該バッグ本体は、内側から外側へ順に第1耐火層、耐火断熱層、及び第２耐火層を含有することによってその内部に収納される物品を高熱から守ることができるので、高温及び／又は大火の状態においても、そのバッグ本体に収納される物品を傷つかないように保存する効果が達成できる。
【考案を実施するための最良の形態】
【００１０】
次に、本考案に係る耐火機能付きバッグの具体的な実施の形態について、図面を参照しながら説明するが、本考案は下記の実施形態により限定されるものではない。
【００１１】
図１〜図４の夫々は本考案に係る耐火機能付きバッグの実施形態の一つを示す図面であり、図５は本考案に係る耐火機能付きバッグのバッグ本体の構成を示す図面であり、図６は本考案に係る耐火機能付きバッグが底部を有する場合の模式図である。
【００１２】
図１及び図２に示されるように、本考案の一実施形態に係る耐火機能付きバッグ１は、バッグ本体２と、該バッグ本体２の内部に設置されるバリヤー体３とを具備する。図１におけるバリヤー体３としては耐火材製の面ファスナー３ａを使用しているが、図２におけるバリヤー体３としては耐火材製のジッパー３ｂを用いる。
【００１３】
前記バッグ本体２は主に耐火材、例えばデュポン社のＮｏｍａｘ、Ｋｅｖｌａｒ、その他の耐熱温度の範囲が２００〜３０００℃の耐火材からなる。その構成は、図５に示されるように、少なくとも三層の耐火材からなり、即ち、第１層（内層）である第１耐火層２０１（例えば、２０％〜５０％のＮｏｍａｘ耐火布より構成され、耐火温度２５０℃）と、選択的に設置可能な第２層であるアルミ金属層２０２（設置した場合、耐火効果を高めることができるが、設置しなくても一定の耐火効果が達成できる）と、第３層である耐火断熱層２０３（通気、難燃、耐火の作用を働き、耐火温度１０００℃）と、第４層（外層）である第２耐火層２０４（Ｎｏｍａｘ耐火布、アルミ、ガラス繊維、シリカ等の素材から構成され、耐火温度３０００℃）とから構成されている。このことから、高温及び／又は大火の状態においても、当該バッグ本体２が溶け壊れることはない。
【００１４】
図６に示すように、該バッグ本体２には底部９を設置することができる。また、該バッグ本体２における接合箇所６が全て耐火糸を用いて縫合する。
【００１５】
図１及び図２に示されるように、前記バリヤー体３を前記開口部４の近傍の位置Ｂに設置した場合、バッグのハンドル部としては肩ベルト５ａ，５ｂを使用しているが、一方、図３及び図４に示されるように、前記バリヤー体３を前記開口部４よりも下方の位置Ａに設置した場合、バッグのハンドル部としては開口部４の一方から露出する引き紐５ｃ（図３）、又は開口部４の両方から露出する引き紐５ｄ（図４）を用いる。
【００１６】
該バッグ本体２における、バリヤー体３の配置箇所よりも奥行きの内部が、一つの収納空間に形成されるか、又はその接合箇所Ｃを耐火糸で縫合することにより複数の収納空間に区画されている（例えば、点線に示されるように２つの収納空間２２，２３を有する）ので、その収納空間には重要の貴重品である、例えば宝石類、ディスク、アクセサリー、印鑑、預金通帳、大事な書類などを収納することができる。
【図面の簡単な説明】
【００１７】
【図１】本考案に係る耐火機能付きバッグの実施形態の一つを示す図面である。
【図２】本考案に係る耐火機能付きバッグの実施形態の一つを示す図面である。
【図３】本考案に係る耐火機能付きバッグの実施形態の一つを示す図面である。
【図４】本考案に係る耐火機能付きバッグの実施形態の一つを示す図面である。
【図５】本考案に係る耐火機能付きバッグのバッグ本体の構成を示す図面である。
【図６】本考案に係る耐火機能付きバッグが底部を有する場合の模式図である。
【符号の説明】
【００１８】
１…バッグ、２…バッグ本体、３…バリヤー体、３ａ…耐火面ファスナー、３ｂ…耐火ジッパー、４…開口部、６、Ｃ…接合箇所、５ａ，５ｂ…肩ベルト、５ｃ，５ｄ…引き紐、９…底部、２０１…第1耐火層、２０２…アルミ金属層、２０３…耐火断熱層、２０４…第２耐火層
【図１】
0003138300.tif 000003
【図２】
0003138300.tif 000004
【図３】
0003138300.tif 000005
【図４】
0003138300.tif 000006
【図５】
0003138300.tif 000007
【図６】
0003138300.tif 000008